(57)【特許請求の範囲】
【請求項１】
排便可能にした腰掛け形状のトイレにおいて、
枠体の下面に備えて移動可能に形成する車輪と、
前記枠体に搭載した熱伝導質の円筒体と、前記円筒体内に積載したバクテリアの活性化を促す酵素代謝産物を添加したチップ部材と、
前記円筒体の底面の中心に軸着して、中心から水平に幅を備えた板状にして、内周面方向に張り出し、内周面で鉛直方向に立設させて、上方に行くほど大きく傾斜させた形状にして、該円筒体内で前記チップ部材を揺動する爪部と、
前記爪部を駆動回転及び回転を制御し、上記円筒体に隣接して前記爪部の軸に連結するモータと、
前記円筒体の保温制御するヒータ手段と、を設け、
上記枠体の上面に備えた便座から汚物を前記円筒体内の略中心に落下させ、前記チップ部材が前記爪部の回転で該円筒体内の内周面から噴出させて、汚物を中心部に渦巻き状に沈下させ、該チップ部材と攪拌することを特徴とする簡易トイレ。
【請求項２】
爪部は、円筒体内の内周面に立設してチップ部材を攪拌する第１爪部と、
該円筒体内の中央付近を回転しコロニー層を形成する第２爪部と、を設け
前記第１爪部と第２爪部とは中空軸で同心に軸着して、別駆動部により回転させ、
該第２爪部の回転は該第１爪部の回転よりも遅くすることを特徴とする請求項１記載の簡易トイレ。
【請求項３】
前記第２爪部の回転は、前記第１爪部の回転と逆方向に回転させることを特徴とする請求項２記載の簡易トイレ。
【発明の詳細な説明】
【０００１】
【産業上の利用分野】
本発明は、移動可能な簡易型のトイレで、使用後の汚物をバクテリアにより分解して消化させ堆肥に変換させる処理装置に関するものである。
【０００２】
【従来の技術】
従来の簡易トイレは、室内で移動可能にキャスター等の車輪が取付けてあり、大便等の使用時には利用者のもとに移動させて、利用者に排泄をさせている。
利用者は、老人とか身体の不自由な人とか病人とかの人達が主に利用している。病院等の大部屋では、６〜８人の患者がいて、簡易トイレの利用者が１〜２名で、利用者数の簡易トイレを使用している。利用者は、簡易トイレの使用後の処理・清掃等が出来ない人達が多く、その家族又は看護者の人達が行うことがほとんどのようである。
【０００３】
【発明が解決しようとする課題】
しかし、看護者の人達を専属で採用するには費用が高く、また気を使って自由な時間に用をたせないという不便があった。また、看護者の方でも、利用者専用に簡易トイレが有るわけでもないので、探すのに時間を要することが多かった。
【０００４】
本発明の簡易トイレの目的は、簡易トイレを誰もが清潔に利用することができ、処理後の清掃・汚物の廃棄作業を簡単に短時間で、しかも利用者本人が処理できるようにしたことで、他の人達も容易に利用することができ、上述した大部屋に１台あれば足りるものであり、設備コストを下げることもできる。
更に、汚物の悪臭を除去でき、汚物自体も数時間後に分解して消化することで堆肥に変換することができるバクテリア効果を利用した簡易トイレを提供するものである。
【０００５】
【課題を解決するための手段】
上述した本発明の目的を達成するために、請求項１の発明では、排便可能にした腰掛け形状のトイレであって、枠体の下面に備えて移動可能に形成する車輪を備えている。前記枠体には、熱伝導質の円筒体を搭載している。この円筒体内には、バクテリアの活性化を促す酵素代謝産物を添加するチップ部材を積載している。
円筒体の底面の中心には、中心から水平に幅を備えた板状が内周に張り出して、鉛直方向に立設して上方に行くほど大きく傾斜させた形状の爪部を軸着している。
前記爪部は、円筒体に隣接して爪部の軸に連結されたモータにより駆動回転及び回転を制御されている。前記円筒体には、保温制御するヒータ手段が備えてある。
上記枠体の上面には、便座が備えてあり、汚物を円筒体内の略中心に落下させる。
チップ部材は、爪部の回転で円筒体内の内周面から噴出させて、前記汚物を中心部に渦巻き状に沈下させる。汚物は、チップ部材と攪拌させることで、分解して消化して堆肥化する構成とする。
請求項２の発明では、爪部は、円筒体内の内周面に立設してチップ部材を攪拌する第１爪部と、円筒体内の中央付近を回転しコロニー層を形成する第２爪部と、を設けている。
第１爪部と第２爪部とは、中空軸で同心に軸着さている。第２爪部の回転は、別駆動部により回転させて、第１爪部の回転よりも遅い回転をする構成とする。
【０００６】
請求項３記載では、請求項２の構成の発明の第２爪部の回転を、第１爪部の回転と逆方向に回転させる構成にする。
【０００７】
請求項１の発明では、汚物を分解して堆肥化させることで、清潔に利用することができ、どこへでも移動することができる。更に、汚物は、チップ部材内で攪拌させることで、汚物を消化させ堆肥化する作用があるので、清掃が簡単にでき環境をよくすることが出来る。
請求項２と３の発明では、待機状態で培養状態を作る作用があり、爪部がチップ部を円滑に循環させる作用があり、汚物をチップ層内に混入させるので清潔感があると共に、バクテリアをより有効に活用することができる。
【０００８】
【発明の実施の形態】
以下に本発明を具体化した一実施形態について図面で示し説明する。
図１に示す簡易トイレ１は、箱形状に底面と四方を囲い上面を空けた枠体２を移動可能にキャスタ２５を備え、枠体２内にアルミ合金製の円筒体３を搭載している。円筒体３内には、爪部が回動可能にしてあり、電動モータに接続されている。更に、円筒体３内にはチップ体１４が略８分目投入してある。
【０００９】
枠体２の上面には、便座６が開閉可能に一端を軸着してあり、便座６の透孔が円筒体３の中心に来る様にしてある。便座６の上面には、全体を塞ぐような蓋２６が開閉可能に備えられている。便座６の左右位置には、僅かに高くした肘あて２７がある。肘あて２７には、一端に調整ダイヤルが２つ設けられている。その１つは、爪部４の回転時間を調整するタイマーダイヤル７があり、蓋２６を開けた時にスタートスイッチが入り爪部４を回転させる。もう１つは、円筒体３に内蔵されたヒータ線１０の電流を調整するヒータ調整ダイヤル８であり、納入されているチップ体１４の温度管理を行っている。
【００１０】
図１のタイマーダイヤル７とヒータ調整ダイヤル８は、露出した状態になっているが、用途によりカバーで覆うようにしもてよく、又は図示略の制御装置を基盤化して設け、制御装置によってタイマー管理とヒータ管理を行なうようにしてもよい。制御装置での管理は、管理者以外のものが勝手に調整することを防止することができるので、各施設・病院等に放置した状態の簡易トイレ１にしても安全である。
【００１１】
チップ体１４は、紙粒状のものと、オガクズ状のものがあり、給水性の良いもので安価にして、堆肥化するものがよく、堆肥化すれば有機肥料として利用できる。爪部４は、円筒体３の底面に回動可能に位置して、モータ５の回転を伝達されて円筒体３内のチップ体１４を回動して外周方向から盛り上がって、中心部に向いて渦状に吸い込まれる垂直運動と水平運動を加えて、底面付近で水平な円運動を行い外周方向に移動させる循環作用をさせる。簡易トイレ１は、一般家庭用の１００Ｖ電源で使用でき、モータ５を回転させヒータ線１０を温め、キャスタ２５により移動が容易にできる。
【００１２】
図２に示すフレーム９には、モータ５を固定し、円筒体３を固定し、周囲を意匠的に良い枠体２を固定し、枠体２の上部に便座６・蓋２６が備えられている。円筒体３の底面の中心には、爪部４が軸着され、爪部４に固定しある軸１５を軸受けを介してフレーム９の下面に突出させて大プーリ１１を嵌着している。
爪部４は、外周方向を鉛直方向に傾斜させ、傾斜角を上方に行くほど大きくし、中心方向を略水平に幅を持たせた板状の金属製のものである。
【００１３】
大プーリ１１は、水平方向にベルト１６で連結した小プーリ１２と連動する回転をする。小プーリ１２は、モータ５に嵌着してあり、モータ５の回転を爪部４に減速して伝達している。爪部５の回転数は、２０ｒｐｍが適度の回転である。
【００１４】
チップ体１４は、爪部５の回動により図３に示すように、円筒体３の周面から盛り上がり中心部が内部に吸い込まれような渦状の循環作用が働いている。
チップ体１４の内部では、爪部５の芯付近の翼作用を少なくしてあるため、移動が少なく小円径の循環があり、バクテリア１３の増殖に適した領域としてコロニー層１７を形成して、バクテリア１３に栄養素を与える培養領域としている。
【００１５】
バクテリア１３の栄養素は、ビタミン・アミノ酸・核酸を必要として、人の食料とするものが大好物であり、環境も適度の水分と温度３７度位と循環により酸素が供給されて最も適するように円筒体３内を作っている。コロニー層１７のチップ体１４は、数時間位で汚物１８を分解して、外周方向に移動してゆく。円筒体３の低部に内蔵されたヒータ線１０は、チップ体１４を３７度に保温する熱線にして、バクテリア１３の培養を促すと共に、水分の給水性を高めている。温度管理は、図示略の制御盤によって自動で行われるが、ヒータ調整ダイヤル８により手動の管理も可能にしている。
【００１６】
（作用の説明）
簡易トイレ１の動作は、使用者が蓋２６を開け、便座６に腰掛けると、タイマーが作動してモータ５が駆動回転して爪部４を回転させる。爪部４の回転は、円筒体３に納入されたチップ体１４を渦状に循環させている。利用者は、排便すると図４のようにチップ体１４の中に汚物１８が投下されることになる。
【００１７】
汚物１８は、チップ体１４の渦流により小粒になり図５（ａ）のようにコロニー層１７を遊動する。コロニー層１７は、バクテリア１３の作用が活発な培地であり、汚物１８を栄養素１９として分解して消化させることで堆肥化する作用がある。図５（ｂ）のように汚物１８が分解して細かくなると軽量になって外周方向に移動をする。
【００１８】
栄養素１９は、細かくなるとバクテリア１３がより分解し易くなり、数時間でチップ体１４と見分けが付かない状態になる。簡易トイレ１の利用率が高い場合でも、連続して汚物１８が投下されても爪部４の回動により前回の汚物１８がチップ体１４の中に有り、姿・匂い等無く、清潔に使用できるものである。
【００１９】
また、使用頻度が少ないものは、タイマーダイヤル７により定期的に爪部４が回動してバクテリア１３の活動を促し、使用状態の待機をすることになる。
更に、利用率が悪化したものは、添加剤２４を投入することによりバクテリア１３を増加させることが可能になる。添加剤２４は、有名なもので商品名アースラブがあり、バクテリア１３を強力なものにして、分解力を大幅に増大させるものである。
【００２０】
図６は、爪部４に加え、コロニー層１７に小型の爪を備えた第２爪部２１が設けられている。第２爪部２１は、爪部４の軸１５を中空にして、その中空軸から第２爪部２１を固定した第２プーリ２２を回転可能に支承され、第２モータ２０の第２小プーリ２３にベルト１６を介して巻回している。チップ体１４の循環は、モータ５の回転と第２モータ２０の回転により、汚物１８を完璧に速く分解して消化し堆肥に変えることができる。第２爪部２１は、回転を遅くしてコロニー層１７を形成することにより、分解力を高め汚物１８を速く分解することができる。
【００２１】
利用者の排泄が終了した後は、蓋２６を閉じて退散するが、タイマーダイヤル７の調整によってモータ５の作用により数分の間、爪部４が回転して、チップ体１４が汚物１８を小粒に分離し、図７のようにコロニー層１７に待機させる。
コロニー層１７では、栄養素１９があるときはバクテリア１３が活発になり増殖するが、栄養素１９が少なくなると環境状態が悪化して、増えた分だけバクテリア１３の生存率が高まり死滅するものが増えてくる。
【００２２】
そこでバクテリア１３の生存率を高めるために爪部４は、定期的に数分間だけ回動することで、コロニー層１７から外周方向に循環させることで、悪化した環境状態を正常化して、円筒体３の全体を培養地に変化させることができ、バクテリア１３を増殖するのに敵している。
【００２３】
第２爪部２１は、爪部４と同方向に回転させても、逆方向に回転させても作用効果が同じようにある。
ヒータ調整ダイヤル８は、チップ体１４の水分状態により高めて速く乾燥させることができ、また、低めて培養速度を遅くすることもできる。
簡易トイレ１は、汚物１８を分解して消化することで堆肥化する作用について説明したが、汚物１８に替えて生ゴミを投下しても同様な作用効果を奏する。
【００２４】
簡易トイレ１は、移動に最適なキャスタ２５を備えて説明したが、個室に固定したトイレ室に採用してもよい。
チップ体１４は、爪部４・第２爪部２１を回動させて説明したが、円筒体３の回動を追加してもよい。
更に、円筒体３に堆肥化したチップ体１４を排出させ、新鮮なチップ体１４を挿入する入替装置を付加してもよい。
【００２５】
請求項１の発明では、汚物を清潔に簡単に処理でき、移動が容易にでき、病院・ホーム等の管理・維持する人を省力化することができると共に、汚物を堆肥に変換することができる効果がある。
更に、爪部は、汚物を分解させる渦流を発生させて、バクテリアによる分解を速くさせることができる効果がある。
請求項２・３は、バクテリアを増殖される培地とする環境をつくることができ、分解力を高める優れた効果を奏する。
【図面の簡単な説明】
【図１】本発明を具体化した簡易トイレの斜視図。
【図２】簡易トイレの枠体と円筒体を示す断面図。
【図３】円筒体のチップ部材が爪部の回転により攪拌状態を示す断面図。
【図４】攪拌するチップ部材に汚物が落下した様子を示す断面図。
【図５】（ａ）攪拌状態において、中央部付近で汚物が分離状態を示す説明図。
（ｂ）攪拌が停止し、分離した汚物をバクテリアが分解して消化する位置を示す説明図。
（ｃ）完全に分解して消化した様子を示す説明図。
【図６】第２の爪部を追加した実施形態の説明用断面図。
【図７】第２の爪部の作用説明用の断面図。
【符号の説明】
１  簡易トイレ
３  円筒体
４  爪部
６  便座
１０  ヒータ線
１１  大プーリ
１２  小プーリ
１３  バクテリア
１４  チップ体
１７  コロニー層
１８  汚物
１９  栄養素
２０  第２モータ
２１  第２爪部
２２  第２プーリ
２３  第２小プーリ
２４  添加剤
【図１】
0004066008.tif 000002
【図２】
0004066008.tif 000003
【図３】
0004066008.tif 000004
【図４】
0004066008.tif 000005
【図５】
0004066008.tif 000006
【図６】
0004066008.tif 000007
【図７】
0004066008.tif 000008